【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
多孔質コア層を有し、
前記コア層が、熱可塑性ポリマーにより一緒に保持されている強化繊維上をランダムに横切ることにより形成された開放セル構造のウェブと、Ｎ、Ｐ、Ａｓ、Ｓｂ、Ｂｉ、Ｓ、Ｓｅ、Ｔｅ、Ｐｏ、Ｆ、ＣＩ、Ｂｒ、Ｉ、Ａｔの少なくとも１つからなる有効量の難燃剤と
を含み、
前記ウェブが、前記多孔質コア層の総重量をベースとする約２０重量パーセント〜約８０重量パーセントの強化繊維を含む、
複合シート材料。
【請求項２】
前記難燃剤がハロゲン化熱可塑性ポリマーを含む請求項１に記載の複合シート材料。
【請求項３】
前記ハロゲン化熱可塑性ポリマーが、テトラブロモ・ビスフェノールＡポリカーボネートを含む請求項２に記載の複合シート材料。
【請求項４】
前記コア層が、約２．０重量パーセント〜約１３．０重量パーセントの臭素を含む請求項２に記載の複合シート材料。
【請求項５】
前記コア層が、約２．０重量パーセント〜約５．０重量パーセントの臭素を含む請求項２に記載の複合シート材料。
【請求項６】
発煙抑制組成物をさらに含み、前記発煙抑制組成物が、錫酸塩、硼酸亜鉛、モリブデン酸亜鉛、珪酸マグネシウム、モリブデン酸亜鉛カルシウム、珪酸カルシウム、水酸化カルシウムのうちの少なくとも１つを含む請求項１に記載の複合シート材料。
【請求項７】
トリクロロベンゼン・ナトリウム・スルフォネート・カリウムおよびジフェニル・スルフォン−３−スルフォネートのうちの少なくとも１つをさらに含む請求項１に記載の複合シート材料。
【請求項８】
少なくとも１つのスキンをさらに含み、前記各スキンが前記多孔質コア層の表面の少なくとも一部をカバーし、前記スキンが、熱可塑性フィルム、エラストマー・フィルム、金属箔、熱硬化性コーティング、無機コーティング、繊維系スクリム、不織布および織布のうちの少なくとも１つを含み、前記スキンが、１９９６年付けのＩＳＯ４５８９−２、第一版により、前記多孔質コア層の表面の少なくとも一部をカバーするために使用している所定の厚さで測定した場合に、約２２以上の限界酸素指数を有する請求項１に記載の複合シート材料。
【請求項９】
前記熱可塑性フィルムが、ポリ（エーテル・イミド）、ポリ（エーテル・ケトン）、ポリ（エーテルエーテル・ケトン）、ポリ（フェニレン・スルフィド）、ポリ（アリレン・スルフォン）、ポリ（エーテル・スルフォン）、ポリ（アミドイミド）、ポリ（１，４フェニレン）、ポリカーボネート、ナイロン、およびシリコーンのうちの少なくとも１つを含む請求項８に記載の複合シート材料。
【請求項１０】
前記繊維系スクリムが、ガラス繊維、アラミド繊維、黒鉛繊維、炭素繊維、無機鉱物繊維、金属繊維、金属化合成繊維、および金属化無機繊維のうちの少なくとも１つを含む請求項８に記載の複合シート材料。
【請求項１１】
前記繊維系スクリムが、ポリアクリロニトリル、ｐ−アラミド、ｍ−アラミド、ポリ（ｐ−フェニレン２，６，ベンゾビスオキサゾール）、ポリ（エーテルイミド）およびポリ（フェニレン・スルフィド）のうちの少なくとも１つを含む請求項１０に記載の複合シート材料。
【請求項１２】
前記熱硬化性コーティングが、不飽和ポリウレタン、ビニル・エステル、フェノール類およびエポキシ類のうちの少なくとも１つを含む請求項８に記載の複合材料。
【請求項１３】
前記無機コーティングが、Ｃａ、Ｍｇ、Ｂａ、Ｓｉ、Ｚｎ、ＴｉおよびＡｌから選択したカチオンを含有する鉱物を含む請求項８に記載の複合材料。
【請求項１４】
前記無機コーティングが、石膏、炭酸カルシウムおよびモルタルのうちの少なくとも１つを含む請求項１３に記載の複合材料。  
【請求項１５】
第１の表面および第２の表面を有する第１の多孔質コア層と、
前記第１および第２の表面のうちの少なくとも一方の少なくとも一部をカバーしている少なくとも１つのスキンとを備える請求項８に記載の複合シート材料。
【請求項１６】
第１および第２の多孔質コア層であって、前記コア層それぞれが第１および第２の表面を含み、前記第１のコア層の前記第２の表面が前記第２のコア層の前記第１の表面に隣接して位置している第１および第２の多孔質コア層と、
前記第１のコア層の前記第１および第２の表面および前記第２のコア層の前記第１および第２の表面の少なくとも１つの少なくとも一部をカバーしている少なくとも１つのスキンと
を備える請求項８に記載の複合シート材料。
【請求項１７】
前記第１の多孔質コア層が、前記第２の多孔質コア層とは異なる熱可塑性材料および異なる繊維のうちの少なくとも１つを含む請求項１６に記載の複合シート材料。
【請求項１８】
第１、第２および第３の多孔質コア層であって、前記コア層それぞれが第１および第２の表面を有し、前記第１のコア層の前記第２の表面が前記第２のコア層の前記第１の表面に隣接して位置し、前記第２のコア層の前記第２の表面が前記第３のコア層の前記第１の表面に隣接して位置している第１、第２および第３の多孔質コア層と、
前記第１のコア層の前記第１および第２の表面、前記第２のコア層の前記第１および第２の表面、および前記第３のコア層の前記第１および第２の表面のうちの少なくとも１つをカバーしている少なくとも１つのスキンと
を備える請求項８に記載の複合シート材料。
【請求項１９】
前記多孔質コア層のうちの１つが、前記他の層のうちの少なくとも１つとは異なる熱可塑性材料および異なる繊維のうちの少なくとも１つを含む請求項１８に記載の複合シート材料。
【請求項２０】
前記熱可塑性ポリマーが、ポリエチレン、ポリプロピレン、ポリスチレン、アクリロニトリルスチレン、ブタジエン、ポリエチレンテレフタレート、ポリブチレンテレフタレート、ポリブチレンテラクロレート、ポリ塩化ビニル、ポリフェニレン・エーテル、ポリカーボネート、ポリエステルカーボネート、熱可塑性ポリエステル、ポリエーテルイミド、アクリロニトリル−ブチルアクリレート−スチレン・ポリマー、非晶質ナイロン、ポリアリレン・エーテル・ケトン、ポリフェニレン・スルフィド、ポリアリル・スルフォン、ポリエーテル・スルフォン、ポリ（１，４フェニレン）化合物およびシリコーンのうちの少なくとも１つを含む請求項１に記載の複合シート材料。
【請求項２１】
約２０重量パーセント〜約８０重量パーセントの繊維の熱可塑性材料と、有効量の難燃剤とを含む少なくとも１つの多孔質コア層を備える多孔性の繊維強化熱可塑性シートを供給するステップと、
前記多孔性の繊維強化熱可塑性シートの表面に少なくとも１つのスキンを積層するステップであって、各スキンが、前記多孔性の繊維強化熱可塑性シートの火炎特性、煙特性、放熱特性、およびガス放出特性のうちの少なくとも１つを強化するために、熱可塑性フィルム、エラストマー・フィルム、金属箔、熱硬化性コーティング、無機コーティング、繊維系スクリム、不織布および織布のうちの少なくとも１つを備え、前記スキンが、１９９６年のＩＳＯ４５８９−２、第一版により測定した場合、約２２以上の制限酸素指数を有するステップと
を含む多孔性の繊維強化熱可塑性シートの製造方法。
【請求項２２】
前記難燃剤がハロゲン化熱可塑性ポリマーを含む請求項２１に記載の方法。
【請求項２３】
前記ハロゲン化熱可塑性ポリマーが、テトラブロモ・ビスフェノールＡポリカーボネートを含む請求項２２に記載の方法。
【請求項２４】
前記コア層が、約２．０重量パーセント〜約１３．０重量パーセントの臭素を含む請求項２１に記載の方法。
【請求項２５】
前記コア層が発煙抑制組成物をさらに含み、前記発煙抑制組成物が、錫酸塩、硼酸亜鉛、モリブデン酸亜鉛、珪酸マグネシウム、モリブデン酸亜鉛カルシウム、珪酸カルシウム、水酸化カルシウムのうちの少なくとも１つを含む請求項２１に記載の方法。
【請求項２６】
前記コア層が、トリクロロベンゼン・ナトリウム・スルフォネート・カリウムおよびジフェニル・スルフォン−３−スルフォネートのうちの少なくとも１つをさらに含む請求項２１に記載の方法。